(57)【要約】【課題】伝送損失の増加をなくし、信頼性のある光線路を確保する。【解決手段】光ファイバケーブル用クロージャにおける余長収納トレイ１に光ファイバテープ心線２７を収納する際、前記余長収納トレイ１内において、前記光ファイバテープ心線２７の余長収納長さを、心線移動による伝送損失増を抑制するのに対応可能な長さ以上で、少なくとも１６０ｍｍ以上に構成する。その結果、伝送損失の増加が抑制される。【選択図】図１
2005084417.tif 000002
【特許請求の範囲】
【請求項１】
光ファイバケーブル用クロージャにおける余長収納トレイに光ファイバテープ心線を収納する際、前記余長収納トレイ内において、前記光ファイバテープ心線の余長収納長さを、心線移動による伝送損失増を抑制するのに対応可能な長さ以上にすることを特徴とする光ファイバテープ心線の余長収納方法。
【請求項２】
光ファイバケーブル用クロージャにおける余長収納トレイに光ファイバテープ心線を収納する際、前記光ファイバテープ心線のテープ材が、心線移動時に高屈曲箇所を発生しないヤング率以上を有していることを特徴とする光ファイバテープ心線の余長収納方法。
【請求項３】
光ファイバケーブル用クロージャにおける余長収納トレイに光ファイバテープ心線を収納する際、前記余長収納トレイ内において、前記光ファイバテープ心線の余長収納長さを、心線移動による伝送損失増を抑制するのに対応可能な長さ以上にすると共に、前記光ファイバテープ心線のテープ材が、心線移動時に高屈曲箇所を発生しないヤング率以上を有していることを特徴とする光ファイバテープ心線の余長収納方法。
【請求項４】
前記光ファイバテープ心線の余長収納長さを、少なくとも１６０ｍｍ以上とすることを特徴とする請求項１又は３記載の光ファイバテープ心線の余長収納方法。
【請求項５】
前記光ファイバテープ心線のテープ材のヤング率が、少なくとも７００ＭＰａ以上であることを特徴とする請求項２又は３記載の光ファイバテープ心線の余長収納方法。
【請求項６】
光ファイバテープ心線を収納する光ファイバケーブル用クロージャにおける余長収納トレイ内に、前記光ファイバテープ心線の余長収納長さが心線移動による伝送損失増を抑制するのに対応可能な長さ以上となる大きさの余長収納領域を設けてなることを特徴とする光ファイバケーブル用クロージャにおける余長収納トレイ。
【請求項７】
前記光ファイバテープ心線の余長収納長さが、少なくとも１６０ｍｍ以上であることを特徴とする請求項６記載の光ファイバケーブル用クロージャにおける余長収納トレイ。
【請求項８】
光ファイバケーブル用クロージャにおける余長収納トレイに収納する光ファイバテープ心線を、心線移動時に高屈曲箇所を発生しないヤング率以上を有するテープ材で構成したことを特徴とする余長収納トレイにおける光ファイバテープ心線。
【請求項９】
前記光ファイバテープ心線のテープ材のヤング率が、少なくとも７００ＭＰａ以上であることを特徴とする請求項８に記載の余長収納トレイにおける光ファイバテープ心線。
【発明の詳細な説明】
【技術分野】
【０００１】
この発明は、光ファイバケーブルにて心線移動が発生した場合、実伝送に支障を来さないように工夫し、信頼性のある光線路を確保することを可能にした光ファイバテープ心線の余長収納方法および余長収納トレイ、並びに前記余長収納トレイに収納される光ファイバテープ心線に関する。
【背景技術】
【０００２】
従来、溝付きスペーサ型光ケーブルやテープスロット型光ケーブルにおいて、ケーブル構成材料の線膨張係数差や振動等による心線移動が発生することが知られている。光ケーブル製造時に光ファイバ心線を全長、もしくは部分的にスペーサに固定する方法が提案されている（特許文献１、特許文献２参照）。しかしながら、このような手段は、製造技術が複雑になり製造コストがアップする、という問題が指摘されている。
【０００３】
上記問題を解決するために、全長、もしくは部分的にスペーサ内に充填材を充填して固定する方法が提案されている（特許文献３、特許文献４参照）。
【特許文献１】実開昭６０−６０７１３号公報
【特許文献２】特許第２８７３２９２号
【特許文献３】特開平９−２１９３６号公報
【特許文献４】特許第３３７４０６８号
【発明の開示】
【発明が解決しようとする課題】
【０００４】
しかしながら、上記の全長、もしくは部分的にスペーサ内に充填材を充填して固定する方法は、充填材を人手で塗布する手法であるので、「充填材の塗布が十分かどうかのバラツキが出る」、「施工する作業者の熟練度によって個人差が出る」、「最悪の場合、充填材の塗布が不充分な箇所が出てしまう」、「充填材の塗布が十分であったかの検証が、施工する作業者の目視確認のみであり、目視確認にもバラツキや個人誤差が出る」、「テープ心線は保護テープやキャップで保護されてしまっており、後日の検証（目視確認）ができない」という問題がある。
【０００５】
そして、最大の問題は、上述の手法では、「実際に伝送されている活線には適用できない」ことにある。すなわち、従来の手法ではケーブル布設の際、もしくは布設完了後で実伝送前までの期間にのみ実施できる手法であり、既に実際に伝送されている場合には適用できない。よって、ケーブル布設の際、上記のような心線移動対策を施しても、想定以上の力がかかってしまった場合には、心線移動が発生し、そうなった場合の対応ができないという問題がある。
【０００６】
また、最近になって「振動」が心線移動に関係することが、例えば日本電線工業会の技術資料第１３３．２．５項に振動が心線移動に関係することが明記されている。
【０００７】
実際に、光ファイバケーブルを布設する環境が、心線移動を発生するのかどうか、心線移動を発生した場合の程度はどれくらいなのか、ということを予測することは非常に困難である。従って、心線移動を発生する可能性のある環境、例えば、道路沿い、鉄道線路沿い、橋梁部、傾斜地などの環境の場合、あらかじめ、それを予測して、心線移動に対応した光線路を構築し、実伝送に支障がないように対応したほうが好ましい。
【０００８】
なお、光ファイバケーブル用クロージャにおける余長収納トレイにおいて、ファイバ曲がりによるマクロベンドが発生した場合には人手でその発生したマクロベンドを直すようにしていて、現状においてファイバ曲がりによるマクロベンドの発生対策を講じていないのである。
【０００９】
この発明は上述の課題を解決するためになされたものである。
【課題を解決するための手段】
【００１０】
この発明の光ファイバテープ心線の余長収納方法は、光ファイバケーブル用クロージャにおける余長収納トレイに光ファイバテープ心線を収納する際、前記余長収納トレイ内において、前記光ファイバテープ心線の余長収納長さを、心線移動による伝送損失増を抑制するのに対応可能な長さ以上にすることを特徴とするものである。
【００１１】
この発明の光ファイバテープ心線の余長収納方法は、光ファイバケーブル用クロージャにおける余長収納トレイに光ファイバテープ心線を収納する際、前記光ファイバテープ心線のテープ材が、心線移動時に高屈曲箇所を発生しないヤング率以上を有していることを特徴とするものである。
【００１２】
この発明の光ファイバテープ心線の余長収納方法は、光ファイバケーブル用クロージャにおける余長収納トレイに光ファイバテープ心線を収納する際、前記余長収納トレイ内において、前記光ファイバテープ心線の余長収納長さを、心線移動による伝送損失増を抑制するのに対応可能な長さ以上にすると共に、前記光ファイバテープ心線のテープ材が、心線移動時に高屈曲箇所を発生しないヤング率以上を有していることを特徴とするものである。
【００１３】
この発明の光ファイバテープ心線の余長収納方法は、前記光ファイバテープ心線の余長収納方法において、前記光ファイバテープ心線の余長収納長さを、少なくとも１６０ｍｍ以上とすることが好ましい。
【００１４】
この発明の光ファイバテープ心線の余長収納方法は、前記光ファイバテープ心線の余長収納方法において、前記光ファイバテープ心線のテープ材のヤング率が、少なくとも７００ＭＰａ以上であることが好ましい。
【００１５】
この発明の光ファイバケーブル用クロージャにおける余長収納トレイは、光ファイバテープ心線を収納する光ファイバケーブル用クロージャにおける余長収納トレイ内に、前記光ファイバテープ心線の余長収納長さが心線移動による伝送損失増を抑制するのに対応可能な長さ以上となる大きさの余長収納領域を設けてなることを特徴とするものである。
【００１６】
この発明の光ファイバケーブル用クロージャにおける余長収納トレイは、前記光ファイバケーブル用クロージャにおける余長収納トレイにおいて、前記光ファイバテープ心線の余長収納長さが、少なくとも１６０ｍｍ以上であることが好ましい。
【００１７】
この発明の余長収納トレイにおける光ファイバテープ心線は、光ファイバケーブル用クロージャにおける余長収納トレイに収納する光ファイバテープ心線を、心線移動時に高屈曲箇所を発生しないヤング率を有するテープ材で構成したことを特徴とするものである。
【００１８】
この発明の余長収納トレイにおける光ファイバテープ心線は、前記余長収納トレイにおける光ファイバテープ心線において、前記光ファイバテープ心線のテープ材のヤング率が、少なくとも７００ＭＰａ以上であることが好ましい。
【発明の効果】
【００１９】
以上のごとき課題を解決するための手段から理解されるように、この発明によれば、余長収納トレイは、テープ心線の余長収納長さを、心線移動による伝送損失増を抑制するのに対応可能な長さ以上で、少なくとも１６０ｍｍ以上に構成したことにより、伝送損失の増加をなくすことができ、信頼性のある光線路を確保することが可能となる。
【００２０】
また、心線移動時に高屈曲箇所が発生しない高ヤング率で、少なくとも７００ＭＰａ以上のテープ材からなる高剛性の光ファイバテープ心線が用いられることにより、伝送損失の増加を少なくすることができ、信頼性のある光線路を確保することが可能となる。
【００２１】
さらに、上記のテープ心線の余長収納長さを、心線移動による伝送損失増を抑制するのに対応可能な長さ以上にすることと、心線移動時に高屈曲箇所が発生しないヤング率以上を有するテープ材からなる高剛性の光ファイバテープ心線を用いることの組み合わせにより、より効果的に伝送損失の増加を少なくすることができる。
【発明を実施するための最良の形態】
【００２２】
以下、この発明の実施形態について図面を参照して詳細に説明する。
【実施例１】
【００２３】
図１を参照するに、光ファイバケーブル用クロージャにおける余長収納トレイ１は、ポリプロピレン等のプラスチック成型品であり、細長い概ね長円状のトレイ底板部３を備えており、このトレイ底板部３の周囲にはこのトレイ底板部３と一体の直線状の側壁５、７が設けられ、この各側壁５、７の左右には概ねＣ形状の側壁９、１１が一体化されている。
【００２４】
前記側壁７には蓋１３が開閉自在に設けられている。そして、この蓋１３の図１において上側の端部には左右方向へ適宜な間隔で係合爪１５が３カ所に設けられていると共に前記側壁５には前記係合爪１５に対応した位置に係合凹部１７が設けられている。図１の状態は蓋１３が開いた状態にあり、蓋１３を閉めた場合には各係合爪１５が各係合凹部１７にはまり込むようになっている。
【００２５】
前記側壁５、７の上縁部の複数箇所には心線押さえ用舌片１９、２１がそれぞれ内方に延出されている。同様に、側壁９、１１の上縁部の複数箇所には心線押さえ用舌片２３、２５がそれぞれ内方に延出されている。前記側壁７の両端部と概ねＣ形状の側壁９、１１との間のスペースには図２に示されているように、例えば４心からなる光ファイバテープ心線２７の５本を被覆した例えばシリコン製の保護チューブ２９が導入される導入口３１が設けられている。この導入口３１は仕切版３３により２分割されている。
【００２６】
前記トレイ底板部３の両側は余長収納部３５となっていると共にほぼ中央部分には光接続部収納領域３７となっている。この光接続部収納領域３７には複数の融着スリーブ（光接続群ホルダ）３９が浅く平坦な矩形凹所４１にはまり込まれるようになっている。前記各余長収納部３５には内側トレイ部４３Ｌ、４３Ｒが設けられていると共にこの内側トレイ部４３Ｌ、４３Ｒのほぼ中央部には外方へ突出した心線押さえ用舌片４５が一体化されている。
【００２７】
上記構成により、余長収納トレイ１の左方から４心からなる光ファイバテープ心線２７の５本を被覆した保護チューブ２９が導入口３１から導入され４心からなる光ファイバテープ心線２７が保護チューブ２９より剥がされて、各心線押さえ用舌片２１、右側の心線押さえ用舌片２５および右側の心線押さえ用舌片１９内を通り、各光ファイバテープ心線２７が各融着スリーブ３９で保持される。
【００２８】
また、余長収納トレイ１の右方から４心からなる光ファイバテープ心線２７の５本を被覆した保護チューブ２９が導入口３１から導入され４心からなる光ファイバテープ心線２７が保護チュープ２９より剥がされて、各心線押さえ用舌片２１、左側の心線押さえ用舌片２３および左側の心線押さえ用舌片１９内を通り、各光ファイバテープ心線２７が各融着スリーブ３９で保持される。
【００２９】
そして、この各融着スリーブ３９に保持された各光ファイバテープ心線２７の各光ファイバが図示省略の光融着接続機により融着されて接続されるようになっている。
【００３０】
また、この発明の実施例１の形態の余長収納トレイ１は、図１において左右方向の全長が長さＬであり、上記の内側トレイ部４３Ｌ，４３Ｒが、後述する比較例として図４に示した既存の余長収納トレイ４７に比較して、より一層中央寄りに配置されている。すなわち、全長の中央位置ＣＬから内側トレイ部４３Ｌ，４３Ｒの外面までの距離をｄ１とすると、この距離ｄ１は、比較例としての既存の余長収納トレイ４７の内側トレイ部４９Ｌ，４９Ｒの外面までの距離ｄ２より小さく設けられている。
【００３１】
前記各余長収納部３５の余長収納領域ＳＳは、図３（Ａ）に示されているように、上記の内側トレイ部４３Ｌ，４３Ｒの外面と側壁９，１１の内面との間のスペースであるので、距離ｄ１が小さくなるほど余長収納領域ＳＳが大きくなる。
【００３２】
この実施例１では、内側トレイ部４３Ｌ，４３Ｒを中央寄りにする程度を変化させ、表１に示されているように、距離ｄ１＝１２０ｍｍ，１１０ｍｍ，１００ｍｍ，９０ｍｍ，８０ｍｍと、段階に変えて５種類の余長収納トレイ１を製作した。なお、各距離ｄ１に対応する余長収納長さは、順に、１００ｍｍ（距離ｄ１＝１２０ｍｍのとき），１２０ｍｍ（距離ｄ１＝１１０ｍｍのとき），１４０ｍｍ（距離ｄ１＝１００ｍｍのとき），１６０ｍｍ（距離ｄ１＝９０ｍｍのとき），１８０ｍｍ（距離ｄ１＝８０ｍｍのとき）である。
【比較例】
【００３３】
ここで、比較例の既存の余長収納トレイ４７について、図４を参照して説明する。なお、余長収納トレイ４７は図１の余長収納トレイ１とほぼ同様の構造であるので、同じ部材は同符号を付し、詳細な説明は省略する。
【００３４】
比較例の余長収納トレイ４７の図４において左右方向の全長は、この実施の形態の余長収納トレイ１の全長の長さＬと同じであり、内側トレイ部４９Ｌ，４９Ｒが中央位置ＣＬを基準として外側寄りに配置され、中央位置ＣＬから内側トレイ部４９Ｌ，４９Ｒの外面までの距離がｄ２＝１３０ｍｍである。つまり、前述したように距離ｄ２＞ｄ１となっている。このときの余長収納長さは８０ｍｍである。
【００３５】
したがって、図３（Ａ）、（Ｂ）を比較して分かるように、この発明の実施の形態の余長収納トレイ１の余長収納部３５の余長収納領域ＳＳは比較例の余長収納トレイ４７の余長収納部５３の余長収納領域ＳＳより大きく構成されている。
【００３６】
また、比較例の余長収納トレイ４７は、内側トレイ部４９Ｌ、４９Ｒのほぼ中央部に外方へ突出した心線押さえ用舌片５１が一体化されている。
【００３７】
（試験例１）
前述した実施例１の５種類の余長収納トレイ１と、比較例の余長収納トレイ４７に対して、ＪＩＳ  Ｃ  ００３６「広帯域ランダム振動試験」を実施し、心線移動現象を発生させた。このとき、各余長収納トレイ１と余長収納トレイ４７における余長収納長さに対応して、心線移動現象の発生の有無、心線移動による伝送損失の増加の有無、損失増加時の変化量の各項目を測定し、その測定結果が表１に示されている。
【００３８】
なお、前記損失増加時の変化量は、試験回数１０回における平均値で表示されている。また、「←」の記号は、左欄に同じという意味である。
【表１】
2005084417.tif 000003
以上の表１の結果から、心線移動現象は内側トレイ部４３Ｌ，４３Ｒ及び内側トレイ部４９Ｌ，４９Ｒの位置に無関係に発生している。しかしながら、内側トレイ部４３Ｌ，４３Ｒが内側の中央寄りにあって余長収納長さが長い場合、つまり表１では余長収納長さが１６０ｍｍ（距離ｄ１＝９０ｍｍのとき）以上である場合は、心線移動による伝送損失の増加が発生していない。
【００３９】
逆に、内側トレイ部４３Ｌ，４３Ｒが外方側にあり、余長収納長さが短い場合、つまり表１では余長収納長さが１４０ｍｍ（距離ｄ１＝１００ｍｍのとき）より短い場合は、心線移動による伝送損失の増加がより多く発生している。余長収納長さが短い場合ほど、損失増加時の変化量が大きくなっている。
【００４０】
すなわち、心線移動による伝送損失増は、余長収納長さ（余長収納能力）に依存しているものと考えられる。従って、内側トレイ部４３Ｌ，４３Ｒを極力内側（中心位置ＣＬに近づく側）に配置し、余長収納長さ（能力）を上げた余長収納トレイ１であるほうが好ましい。この実施の形態においては、心線移動による伝送損失増を抑制するのに対応可能な長さの余長収納長さとは、１６０ｍｍであり、余長収納長さを１６０ｍｍ以上とすることにより伝送損失の増加をなくすことができ、信頼性のある光線路を確保することが可能となる。
【００４１】
なお、一般に、心線移動は光ファイバケーブル１の構成材料の線膨張係数差によるものと考えられている。これに振動が加わることによって、心線移動が加速されると考えられている。その期間は数年のオーダーであり、１日や数時間単位で移動するわけではないため、「再収納」という作業が可能となる。
【００４２】
この「再収納」とは、余長収納トレイ１の上で、移動したテープ心線を再整列させて収納し直す方法である。この「再収納」の作業についても、余長収納長さ（能力）を上げたもののほうが好ましいのは自明である。
【実施例２】
【００４３】
この実施例２では、比較例の既存の余長収納トレイ４７を用いて、光ファイバテープ心線２７のテープ材のヤング率（ＭＰａ）を変化させ、表２に示されているように、ヤング率（ＭＰａ）＝４００，５００，６００，７００，８００の５種類の光ファイバテープ心線２７を余長収納トレイ４７に収納した。なお、前述したように余長収納トレイ４７における余長収納長さは８０ｍｍである。
【００４４】
なお、この実施例２において、前述した実施例１の余長収納トレイ１を用いなかった理由は、余長収納トレイ１の余長収納長さを長くしたことによる効果の要素がない状態で、純粋に光ファイバテープ心線２７のテープ材のヤング率（ＭＰａ）の違いによる効果を調べるためである。
【００４５】
（試験例２）
前述した実施例２の５種類のテープ材ヤング率を有する光ファイバテープ心線２７ごとに、前記余長収納トレイ４７に収納し、これら５種類の余長収納トレイ４７に対して、ＪＩＳ  Ｃ  ００３６「広帯域ランダム振動試験」を実施し、心線移動現象を発生させた。このとき、５種類のテープ材ヤング率を有する光ファイバテープ心線２７に対応して、心線移動現象の発生の有無、高屈曲箇所の発生回数、心線移動による伝送損失の増加の有無、損失増加時の変化量の各項目を測定し、その測定結果が表２に示されている。
【００４６】
なお、高屈曲箇所の発生回数は、試験回数１０回における発生回数で表示されており、前記損失増加時の変化量は、試験回数１０回における平均値で表示されている。また、「←」の記号は、左欄に同じという意味である。
【表２】
2005084417.tif 000004
以上の表２の結果から、心線移動現象は光ファイバテープ心線２７のテープ材のヤング率（ＭＰａ）が変わっても無関係に発生している。しかし、「高屈曲箇所」の発生頻度は、テープ材ヤング率によって差があり、テープ材ヤング率に依存していることが分かる。
【００４７】
ちなみに、テープ材ヤング率が４００ＭＰａでは高屈曲箇所の発生回数は１０回で、損失増加時の変化量は５．７であったが、テープ材ヤング率が８００ＭＰａでは高屈曲箇所の発生回数は０回で、損失増加時の変化量は０．２であった。
【００４８】
テープ材ヤング率が６００ＭＰａより小さいものでは高屈曲箇所の発生回数が２回以上で、損失増加時の変化量は４．３以上であるが、テープ材ヤング率が７００ＭＰａ以上の場合では高屈曲箇所の発生回数が０回で、損失増加時の変化量は０．４以下である。
【００４９】
なお、上記の「高屈曲箇所」とは、例えば５本の全部の光ファイバテープ心線２７が同時に移動せず、１本の光ファイバテープ心線２７が残ってしまう状況である。そのため、光ファイバテープ心線２７にたるみができてしまい、屈曲した状態となって伝送損失の増加を発生するものである。この高屈曲箇所が発生するメカニズムは詳細には分かっていないが、上記の結果から考察すると、少なくともテープ心線の表面性や剛性などが関係しているものと推定される。よって、テープ材のヤング率は両者に関係するパラメータであり、相当する依存性があるものと考えられる。
【００５０】
以上のことから、余長収納トレイ１は、テープ心線の余長収納長さを、心線移動による伝送損失増を抑制するのに対応可能な長さ以上、少なくとも１６０ｍｍ以上に構成したことにより、伝送損失の増加をなくすことができ、信頼性のある光線路を確保することが可能となる。
【００５１】
また、心線移動時に高屈曲箇所が発生しない高ヤング率で、少なくとも７００ＭＰａ以上のテープ材からなる高剛性の光ファイバテープ心線２７が用いられることにより、伝送損失の増加を少なくすることができ、信頼性のある光線路を確保することが可能となる。
【００５２】
さらに、上記の光ファイバテープ心線２７の余長収納長さを、心線移動による伝送損失増を抑制するのに対応可能な長さ以上とすることと、心線移動時に高屈曲箇所が発生しないヤング率以上を有するテープ材からなる高剛性の光ファイバテープ心線２７を用いることとの組み合わせにより、より効果的に伝送損失の増加を少なくすることができる。
【００５３】
また、光ファイバケーブルにて心線移動が発生した場合、実伝送に支障を来さないように、余長収納トレイの形状や大きさの状態に応じて、光ファイバテープ心線の余長収納長さを、心線移動による伝送損失増を抑制するのに対応可能な長さ以上とすることにより、信頼性のある光線路を確保することができる。
【００５４】
なお、この発明は前述した実施の形態に限定されることなく、適宜な変更を行うことによりその他の態様で実施し得るものである。
【図面の簡単な説明】
【００５５】
【図１】この発明の光ファイバケーブル用クロージャにおける余長収納トレイの一例の平面図である。
【図２】４心光ファイバテープ心を５本被覆した保護チューブの断面図である。
【図３】（Ａ）は、実施例１の余長収納トレイの余長収納領域の概略説明図で、（Ｂ）は、比較例の余長収納トレイの余長収納領域の概略説明図である。
【図４】比較例の余長収納トレイの一例の平面図である。
【符号の説明】
【００５６】
１  余長収納トレイ（光ファイバケーブル用クロージャにおける）
３  トレイ底板部
５、７、９、１１  側壁
１９、２１  心線押さえ用舌片（側壁５、７の）
２３、２５  心線押さえ用舌片（側壁９、１１の）
２７  光ファイバテープ心線
２９  保護チューブ
３１  導入口
３５  余長収納部
３７  光接続部収納領域
３９  融着スリーブ（光接続群ホルダ）
４３Ｌ、４３Ｒ  内側トレイ部
４５  心線押さえ用舌片
４７  余長収納トレイ（比較例の）
４９Ｌ，４９Ｒ  内側トレイ部（比較例の）
５１  心線押さえ用舌片（比較例の）
５３  余長収納部（比較例の）
ＳＳ  余長収納領域
【図１】
2005084417.tif 000005
【図２】
2005084417.tif 000006
【図３】
2005084417.tif 000007
【図４】
2005084417.tif 000008